(57)【要約】【課題】本発明は、メーキャップ用の粉状及び液状の化粧料を、一般人であってもメーキャップアーティストが仕上げたようにきれいに化粧料を塗布できる化粧ブラシと、その化粧ブラシを使用して行う化粧方法を提供する。【解決手段】毛先を２ｍｍ〜４ｍｍ押し曲げるための荷重をかけたときに屈曲点が発生せず、毛先を２ｍｍ〜４ｍｍ押し曲げるための荷重をかけたときの荷重の増加がほぼ一定であるか、又は荷重の増加の傾きが０．６２Ｎ／ｍｍ以下であるとの毛の柔軟性についての条件を有し、毛先の長さが２５ｍｍ以下であるとの毛先の長さについての条件を有し、ブラシの口径が１６ｍｍ以上〜４４ｍｍ以下であるとのブラシ口径についての条件を有し、毛の束の広がり角度が、毛の延伸方向軸に対して外側に２０度以内であるとの毛の束の広がり角度についての条件を備えた化粧ブラシであって、ブラシの毛先の毛先面部が平坦状を呈するように形成されていること。【選択図】図５
2011087675.tif 000002
【特許請求の範囲】
【請求項１】
毛先を２ｍｍ〜４ｍｍ押し曲げるための荷重をかけたときに屈曲点が発生せず、毛先を２ｍｍ〜４ｍｍ押し曲げるための荷重をかけたときの荷重の増加がほぼ一定であるか、又は荷重の増加の傾きが０．６２Ｎ／ｍｍ以下であるとの毛の柔軟性についての条件を有し、毛先の長さが２５ｍｍ以下であるとの毛先の長さについての条件を有し、ブラシの口径が１６ｍｍ以上〜４４ｍｍ以下であるとのブラシ口径についての条件を有し、毛の束の広がり角度が、毛の延伸方向軸に対して外側に２０度以内であるとの毛の束の広がり角度についての条件を備えた化粧ブラシであって、ブラシの毛先の毛先面部が平坦状を呈するように形成されていることを特徴とする化粧ブラシ。
【請求項２】
ブラシの毛先の毛先面部の側面形状が傾斜状を呈するように形成されていることを特徴とする請求項１記載の化粧ブラシ。
【請求項３】
請求項１又は２記載の化粧ブラシを使用して、化粧対象部にブラシの毛先の毛先面部をトントンと複数回叩くように、もしくは叩きながら滑らせるようにして化粧料を塗布することを特徴とする化粧方法。
【発明の詳細な説明】
【技術分野】
【０００１】
本発明は化粧ブラシ及びそれを用いた化粧方法に係り、さらに詳しくは、メーキャップ用の粉状及び液状の化粧料を、一般人であってもメーキャップアーティストが仕上げたようにきれいに化粧料を塗布できる化粧ブラシと、その化粧ブラシを使用して行う化粧方法に関する。
【背景技術】
【０００２】
従来より、フェイスブラシ、チークブラシ、アイシャドウブラシ、アイブローブラシなどの化粧料を塗布するための化粧ブラシが広く用いられているが、その化粧ブラシの全体形状は、ブラシの毛先の毛先面部がふくらみのある丸型とか、絵の具用の筆型などを呈するような形状のものが提案されている。
特にフェイスブラシやチークブラシのようなやや大きめの毛先を有し、ファンデーションを顔の全体に塗布するタイプの化粧ブラシとしては、毛先面部（毛先の先端面で肌に触れる面の意味）が中央付近で緩やかに盛り上がった丸型ブラシ（かまぼこ状）が一般的であった。
【０００３】
このようなファンデーションの塗布に適する化粧ブラシにおいては、顔に化粧料を塗布する際に、化粧料を容器から化粧ブラシの毛先に付着させ、その付着した化粧料をひたい、目の回り、鼻、小鼻、ほほ、あごなどへ、触れさせながら塗布していた。
従来の化粧ブラシの代表的なものとしては、下記のような公報が存在する。
【先行技術文献】
【特許文献】
【０００４】
【特許文献１】実開平５−４４４２８号公報
【特許文献２】特開平１０−１６５２２４号公報
【発明の概要】
【発明が解決しようとする課題】
【０００５】
上記したように、ファンデーションに代表される化粧料を塗布する際には、スポンジパフで化粧料を塗布することは素人であっても比較的容易に行えているが、化粧ブラシを使用する場合には、化粧料を均一的に薄く塗るためにはテクニックが必要となり、そのテクニックが伴わない一般人ではうまく使いこなせないという課題があった。
【０００６】
また従来の化粧ブラシは、ブラシの毛先の毛先面部がその中心部において膨らむように（かまぼこ状）形成され、かつ毛先が先端に向かって広がるように形成（毛先の側面形状が先端に向かって拡開状になるように形成）されていたため、ブラシの毛先面部、すなわち毛先面の全体を一様に肌に触れさせることが難しく、また毛先への力のかかり方も均一ではなかったので、化粧料を均一に塗布することが困難であり、使用に際してフィット感が得られないなどの課題があった。
【０００７】
そのため本発明は、平坦状を呈するブラシの毛先の毛先面部を有し、その毛先の側面形状が先端に向かって略ストレートな形状からなる新しい形態の化粧ブラシを提供することにより、スポンジパフの塗り易さと、化粧ブラシの細やかな塗り易さとを兼ね備え、化粧持ちが良い化粧ブラシ及びそれを用いた化粧方法を提供して、上記のすべての課題を解決せんとするものである。
【課題を解決するための手段】
【０００８】
本発明に係る化粧ブラシの請求項１のものは、毛先を２ｍｍ〜４ｍｍ押し曲げるための荷重をかけたときに屈曲点が発生せず、毛先を２ｍｍ〜４ｍｍ押し曲げるための荷重をかけたときの荷重の増加がほぼ一定であるか、又は荷重の増加の傾きが０．６２Ｎ／ｍｍ以下であるとの毛の柔軟性についての条件を有し、毛先の長さが２５ｍｍ以下であるとの毛先の長さについての条件を有し、ブラシの口径が１６ｍｍ以上〜４４ｍｍ以下であるとのブラシ口径についての条件を有し、毛の束の広がり角度が、毛の延伸方向軸に対して外側に２０度以内であるとの毛の束の広がり角度についての条件を備えた化粧ブラシであって、ブラシの毛先の毛先面部が平坦状を呈するように形成されていることを特徴とする化粧ブラシである。
【０００９】
また請求項２は、ブラシの毛先の毛先面部の側面形状が傾斜状を呈するように形成されていることを特徴とする請求項１記載の化粧ブラシである。
【００１０】
さらに請求項３は、請求項１又は２記載の化粧ブラシを使用して、化粧対象部にブラシの毛先の毛先面部をトントンと複数回叩くように、もしくは叩きながら滑らせるようにして化粧料を塗布することを特徴とする化粧方法である。
【発明の効果】
【００１１】
本発明の請求項１の化粧ブラシは、フィット感や肌あたりのやわらかさなどの使用感と仕上がりの均一さ、仕上げられた化粧の化粧持ちにおいて良好な結果が得られる効果がある。
本発明にかかる化粧ブラシを使用した場合の、化粧持ちに関するアンケート結果（パネル数３１名）によれば、化粧持ちの良さがあるとの認定結果が７３％、ややあるとの認定結果が１０％、どちらでもないとの認定結果が７％、ややないとの認定結果が１０％であった。
【００１２】
また請求項２の化粧ブラシは、ブラシの毛先の毛先面部の側面形状が傾斜状を呈するように形成されているため、ホルダー部に相当する柄を斜めに保持して使用しても、平坦状を呈する毛先面部が肌に垂直状に触れ易くなるため、さらにフィット感や肌あたりのやわらかさなどの使用感と仕上がりの均一さが向上するという効果がある。
【００１３】
また請求項３の化粧方法は、請求項１又は２記載の化粧ブラシを使用して、化粧対象部にブラシの毛先の毛先面部をトントンと複数回叩くように、もしくは叩きながら滑らせるようにして化粧料を塗布するため、一般人であってもメーキャップアーティストが仕上げたようにきれいに化粧料を塗布でき、仕上げられた化粧の化粧持ちが良いという効果を発揮する。
【図面の簡単な説明】
【００１４】
【図１】本発明の化粧ブラシの正面図である。
【図２】同斜視図である。
【図３】本発明の他の実施例の化粧ブラシの正面図である。
【図４】同斜視図である。
【図５】本発明の他の実施例の化粧ブラシの正面図である。
【図６】［顕著例について］の比較例１における、毛の柔軟性を計測するために荷重をかけていくときに、屈曲点８が発生した状況を説明するグラフである。
【図７】ＣＣＤカメラ式顕微鏡による小鼻部の写真（本発明ブラシを使用したもの）である。
【図８】ＣＣＤカメラ式顕微鏡による小鼻部の写真（従来スポンジを使用したもの）である。
【図９】ＣＣＤカメラ式顕微鏡によるほほの外側の写真（本発明ブラシを使用したもの）である。
【図１０】ＣＣＤカメラ式顕微鏡によるほほの外側の写真（従来ブラシを使用したもの）である。
【発明を実施するための形態】
【００１５】
以下、図面を参照して本発明の化粧ブラシ及び化粧方法の実施の形態を説明するが、本発明はこれらの実施の形態に制限されるものではない。
図１乃至図５に示す本発明に係る化粧ブラシ１は、柄２の先に口金３を介して毛先４を取り付けて構成されている。
毛先４を構成する毛の材質は、馬毛やイタチ、灰リス、松リス、カナダリス，山羊、狸、鹿、牛、羊、兎、猿、猫、狐、豚、狼、ムササビなどの獣毛を使用したり、ＰＢＴ（ポリブチレンテレフタレート）、ナイロン、ＰＥＴなどの合成繊維毛を使用したり、それらを適切な混合比率で混毛したりしてブラシ全体にコシと弾力性を与え、ブラシの耐久性と使い易さと、毛先５の肌面への接触感（肌あたり）を向上させるようにしている。
【００１６】
さらにヤング率と毛の断面積を乗じた値が６ｋＮより大きくなると、使用時に多少不快感があり、６ｋＮ以下の場合の方が好ましいことが分かった。
また毛先については、肌あたりを良くするためのテーパー処理を行うとより好ましいことが分かった。
【００１７】
まず本発明の化粧ブラシ１は、上記のブラシ毛を束ねて口金３で絞りながらしっかりと柄２に取り付けられて毛先４が形成され、この毛先４の毛先面部５は平坦状に形成されている。
なお図中の符号Ｌ１は毛先４の長さを、Ｌ２はブラシの口径を示している。
【００１８】
本発明の化粧ブラシは、下記のＡ式に示されるものが、使用感と仕上がりにおいて良好な結果が得られ、仕上げられた化粧の化粧持ちが良くなることが判明した。
Ａ式→（毛の柔軟性の条件）＋（毛先の長さの条件）＋（ブラシの口径の条件）＋（ブラシの毛束の広がりの角度の条件）
【００１９】
（毛の柔軟性の条件）
毛先を折り曲げたとき、毛先が２ｍｍ〜４ｍｍ押し曲げられているときに、実際にブラシを使用したときの状況を再現していると考えられるので、その物性について測定した。毛先が２ｍｍ〜４ｍｍ押し曲げられたときの荷重（Ｎ）の大きさに関しては、測定したどの形状のブラシも４０Ｎ以内におさまっていた。
一方、毛先を押し曲げたときの距離に対する荷重をプロットして得たグラフについては、毛先を２ｍｍ〜４ｍｍ押し曲げたときの荷重の変化が、下記Ｂの条件をもつものが、フィット感や肌あたりのやわらかさなどの使用感と仕上がりの均一さにおいて良好な結果を示すことが分かった。なお、この測定には株式会社島津製作所製のオートグラフを用いた。
Ｂ−１  （２ｍｍ〜４ｍｍ押し曲げたときの荷重の増加がなめらかであり、屈曲点がないこと）
Ｂ−２  （２ｍｍ〜４ｍｍ押し曲げたときの荷重の増加がほぼ一定であるか、または増加の傾きが０．６２Ｎ／ｍｍ以下のゆるやかな増加であること）
なお、毛先面部５が斜めのブラシについては、毛先面部５の面に平行になるように荷重をかけて測定した。
【００２０】
（毛先の長さの条件）
毛先が短くなるとやや硬い感触となり使用感が低下するが問題はなく、長すぎる場合には、使用時にブラシの毛先が屈折してしまい、均一に荷重をかけることが難しく、使用感の面でも仕上がりの均一さにおいても、問題となることが分かった。
その結果、毛先の長さＬ１は２５ｍｍ以下が好ましいことが判明した。
【００２１】
（ブラシの口径の条件）
ブラシの口径Ｌ２が小さすぎる場合には、細かい部分まで美しく仕上げることができるが、顔全体にファンデーションを塗布するためには多くの時間を要するため問題となり、口径Ｌ２が大きすぎる場合には、顔全体にファンデーションを塗布するためにはあまり時間がかからず利便性が高いが、細かい部分を美しく仕上げることは難しいという問題があった。適度な口径Ｌ２は下記の条件を満たすことが分かった。なお、ブラシの口径Ｌ２とは、ブラシ１の毛先４を接合する口金３部分の寸法のことで、その断面形状が円状であればその直径、断面形状が楕円状であればその短径のことを意味する。
その結果、ブラシの口径Ｌ２は１６ｍｍ以上〜４４ｍｍ以下が好ましいことが判明した。
【００２２】
（ブラシの毛束の広がり角度の条件）
一般的に良く見られる毛先の広がった形状のものは、本発明における塗布方法でのファンデーションを塗布する形状のブラシとして適さないことが分かった。
本発明の化粧ブラシは、ほぼ均一な長さの素材を用いて柄２の部分に対する毛先の広がりは、柄２と毛が直線状になっている場合から多少外側に広がっている場合には、使用感と仕上がりに問題はないが、毛の延伸方向軸６と毛束の最外側の広がり延伸方向軸７とが交差して形成されるブラシの毛束の広がり角度αが、外側に２０度を超えて広がっている場合には、使用時に毛先４がさらに広がり、フィット感が低下したり、均一に仕上げることが難しいという問題があった。そこで、ブラシの毛束の広がり角度αは、毛の延伸方向軸６に対して外側に２０度以内である必要がある。
【００２３】
また、毛先４が外側に広がっておらず柄２の口金３部分とほぼ同一線上にあるものに関しては良好な結果を示し、毛先４が柄２と同一線上よりも内側に食い込んでいるもの（毛の延伸方向軸６よりも内側に向いている場合）に関しても、同様に良好な結果を示した。化粧ブラシ１の構造上、毛の延伸方向軸６よりも内側に２０度以上食い込んでいるようなブラシを作製することは困難であったが、測定した結果、毛先が柄２の部分よりも内側に入り込んでいる場合は、どのような角度でも問題がなく良好な結果を示した。
さらに化粧ブラシ１の毛先４の毛先面部５が平坦状を呈していると、毛先面部が肌にまんべんなく平均圧で触れることになり、良好な結果を示すことが分かった。またブラシの毛先４の毛先面部５の側面形状が傾斜状を呈する（図３及び図４参照）ようにしておくと、さらに使用感や仕上がりが良好で、使い易さも向上することが分かった。
【００２４】
以下に実施例と比較例との各項目毎の効果の結果を表した回答アンケートの、集計結果を示す。各項目毎に、最も数の多い結果を◎、○、△、×の各記号で示し、◎は大変優れている、○はやや優れている、△はやや劣っている、×は大変劣っているという内容を示している。
パネル数は３１名であり、「仕上がりの美しさ」とは、透明感、ツヤのある仕上がり（粉っぽくない仕上がり）、立体感、自然な仕上がり、化粧持ち、毛穴やにきび跡の凹凸のカバー力、シミやそばかすなどの肌の色ムラのカバー力、顔全体の均一さ等と同時に、顕微鏡で拡大観察を行ったときに確認できる粉末の均一さ、を総合的に判断した結果である。
【実施例】
【００２５】
［顕著例について］
本発明ブラシの実施例１乃至実施例３ブラシ、及び比較例１乃至比較例４ブラシとの使用感等に関する結果を、下記の表１に示す。
なお図６は、下記の比較例１において、毛の柔軟性を計測するために荷重をかけていくときに、屈曲点８が発生した状況を説明するグラフである。
○実施例１ブラシは、毛の柔軟性→屈曲点８が無しで、毛の柔軟性→傾きが０で、毛先の長さＬＩが１３−１８ｍｍ、ブラシの口径Ｌ２が１９ｍｍ、ブラシの毛束の広がり角度αがほぼ０度、毛先面部５の状態は平坦状、毛先の状態→斜めである。
○実施例２ブラシは、毛の柔軟性→屈曲点８が無しで、毛の柔軟性→傾きが０．２５６で、毛先の長さＬ１が１３−１８ｍｍ、ブラシの口径Ｌ２が１９ｍｍ、ブラシの毛束の広がり角度αがほぼ０度、毛先面部５の状態は平坦状、毛先の状態→斜めである。
○実施例３ブラシは、毛の柔軟性→屈曲点８が無しで、毛の柔軟性→傾きが０で、毛先の長さＬ１が２０ｍｍ、ブラシの口径Ｌ２が２０ｍｍ、ブラシの毛束の広がり角度αがほぼ０度、毛先面部５の状態は平坦状、毛先の状態→水平である。
○比較例１ブラシは、毛の柔軟性→屈曲点８が有りで、毛の柔軟性→測定困難、毛先の長さＬ１が１２ｍｍ、ブラシの口径Ｌ２が１９ｍｍ、ブラシの毛束の広がり角度αがほぼ０度、毛先面部５の状態はややかまぼこ状、毛先の状態→水平である。
○比較例２ブラシは、毛の柔軟性→屈曲点８が有りで、毛の柔軟性→測定困難、毛先の長さＬ１が２５ｍｍ、ブラシの口径Ｌ２が２０ｍｍ、ブラシの毛束の広がり角度αが３０度、毛先面部５の状態はややかまぼこ状、毛先の状態→水平である。
○比較例３ブラシは、毛の柔軟性→屈曲点８が有りで、毛の柔軟性→測定困難、毛先の長さＬ１が２６ｍｍ、ブラシの口径Ｌ２が１５ｍｍ、ブラシの毛束の広がり角度αがほぼ０度、毛先面部５の状態は平坦状、毛先の状態→水平である。
○比較例４ブラシは、毛の柔軟性→屈曲点８が無しで、毛の柔軟性→傾きが０．６２５、毛先の長さＬ１が１８ｍｍ、ブラシの口径Ｌ２が１５ｍｍ、ブラシの毛束の広がり角度αがほぼ０度、毛先面部５の状態は平坦状、毛先の状態→水平である。
【００２６】
【表１】
2011087675.tif 000003
【００２７】
［毛の柔軟性について］
本発明ブラシの実施例１乃至実施例５ブラシ、及び比較例１乃至比較例５ブラシとの使用感等に関する結果を、下記の表２に示す。
○実施例１ブラシは、毛の柔軟性→屈曲点８が無しで、毛の柔軟性→傾きが０で、毛先の長さＬＩが１８ｍｍ、ブラシの口径Ｌ２が１９ｍｍ、ブラシの毛束の広がり角度αが１０度、毛先面部５の状態は平坦状、毛先の状態→水平である。
○実施例２ブラシは、毛の柔軟性→屈曲点８が無しで、毛の柔軟性→傾きが０で、毛先の長さＬ１が２０ｍｍ、ブラシの口径Ｌ２が２０ｍｍ、ブラシの毛束の広がり角度αが０度、毛先面部５の状態は平坦状、毛先の状態→水平である。
○実施例３ブラシは、毛の柔軟性→屈曲点８が無しで、毛の柔軟性→傾きが０で、毛先の長さＬ１が１２−１８ｍｍ、ブラシの口径Ｌ２が１９ｍｍ、ブラシの毛束の広がり角度αが−２度（内側に２度）、毛先面部５の状態は平坦状、毛先の状態→斜めである。
○実施例４ブラシは、毛の柔軟性→屈曲点８が無しで、毛の柔軟性→傾きが０．３４で、毛先の長さＬ１が１５−１７ｍｍ、ブラシの口径Ｌ２が１９ｍｍ、ブラシの毛束の広がり角度αが１０度、毛先面部５の状態は平坦状、毛先の状態→斜めである。
○実施例５ブラシは、毛の柔軟性→屈曲点８が無しで、毛の柔軟性→傾きが０．６２で、毛先の長さＬ１が１５ｍｍ、ブラシの口径Ｌ２が１８ｍｍ、ブラシの毛束の広がり角度αが２０度、毛先面部５の状態は平坦状、毛先の状態→水平である。
○比較例１ブラシは、毛の柔軟性→屈曲点８が有りで、毛の柔軟性→測定困難、毛先の長さＬ１が２０ｍｍ、ブラシの口径Ｌ２が１８ｍｍ、ブラシの毛束の広がり角度αがほぼ２０度、毛先面部５の状態は平坦状、毛先の状態→水平である。
○比較例２ブラシは、毛の柔軟性→屈曲点８が有りで、毛の柔軟性→測定困難、毛先の長さＬ１が２２ｍｍ、ブラシの口径Ｌ２が２１ｍｍ、ブラシの毛束の広がり角度αが４度、毛先面部５の状態は平坦状、毛先の状態→水平である。
○比較例３ブラシは、毛の柔軟性→屈曲点８が無しで、毛の柔軟性→傾きが０．６３で、毛先の長さＬ１が１３ｍｍ、ブラシの口径Ｌ２が１８ｍｍ、ブラシの毛束の広がり角度αが３度、毛先面部５の状態は平坦状、毛先の状態→水平である。
○比較例４ブラシは、毛の柔軟性→屈曲点８が無しで、毛の柔軟性→傾きが０．６４で、毛先の長さＬ１が１８ｍｍ、ブラシの口径Ｌ２が１７ｍｍ、ブラシの毛束の広がり角度αが４度、毛先面部５の状態は平坦状、毛先の状態→水平である。
○比較例５ブラシは、毛の柔軟性→屈曲点８が無しで、毛の柔軟性→傾きが０．７で、毛先の長さＬ１が２０ｍｍ、ブラシの口径Ｌ２が２０ｍｍ、ブラシの毛束の広がり角度αが８度、毛先面部５の状態は平坦状、毛先の状態→水平である。
【００２８】
【表２】
2011087675.tif 000004
【００２９】
［毛先の長さについて］
本発明ブラシの実施例１乃至実施例７ブラシ、及び比較例１乃至比較例３ブラシとの使用感等に関する結果を、下記の表３に示す。
○実施例１ブラシは、毛の柔軟性→屈曲点８が無しで、毛の柔軟性→傾きが０．１８で、毛先の長さＬＩが５ｍｍ、ブラシの口径Ｌ２が１８ｍｍ、ブラシの毛束の広がり角度αが−１度（内側に１度）、毛先面部５の状態は平坦状、毛先の状態→水平である。
○実施例２ブラシは、毛の柔軟性→屈曲点８が無しで、毛の柔軟性→傾きが０で、毛先の長さＬ１が８ｍｍ、ブラシの口径Ｌ２が２１ｍｍ、ブラシの毛束の広がり角度αが４度、毛先面部５の状態は平坦状、毛先の状態→水平である。
○実施例３ブラシは、毛の柔軟性→屈曲点８が無しで、毛の柔軟性→傾きが０．４で、毛先の長さＬ１が１５−１９ｍｍ、ブラシの口径Ｌ２が１７ｍｍ、ブラシの毛束の広がり角度αが−３度（内側に３度）、毛先面部５の状態は平坦状、毛先の状態→斜めである。
○実施例４ブラシは、毛の柔軟性→屈曲点８が無しで、毛の柔軟性→傾きが０で、毛先の長さＬ１が１５ｍｍ、ブラシの口径Ｌ２が２０ｍｍ、ブラシの毛束の広がり角度αが０度、毛先面部５の状態は平坦状、毛先の状態→水平である。
○実施例５ブラシは、毛の柔軟性→屈曲点８が無しで、毛の柔軟性→傾きが０で、毛先の長さＬ１が１８ｍｍ、ブラシの口径Ｌ２が１８ｍｍ、ブラシの毛束の広がり角度αが２度、毛先面部５の状態は平坦状、毛先の状態→水平である。
○実施例６ブラシは、毛の柔軟性→屈曲点８が無しで、毛の柔軟性→傾きが０．３４で、毛先の長さＬ１が１６−１８ｍｍ、ブラシの口径Ｌ２が２０ｍｍ、ブラシの毛束の広がり角度αが１０度、毛先面部５の状態は平坦状、毛先の状態→斜めである。
○実施例７ブラシは、毛の柔軟性→屈曲点８が無しで、毛の柔軟性→傾きが０．２８で、毛先の長さＬ１が２４ｍｍ、ブラシの口径Ｌ２が１８ｍｍ、ブラシの毛束の広がり角度αが２０度、毛先面部５の状態は平坦状、毛先の状態→水平である。
○比較例１ブラシは、毛の柔軟性→屈曲点８が無しで、毛の柔軟性→傾きが０．５で、毛先の長さＬ１が２５ｍｍ、ブラシの口径Ｌ２が２０ｍｍ、ブラシの毛束の広がり角度αが３度、毛先面部５の状態は平坦状、毛先の状態→水平である。
○比較例２ブラシは、毛の柔軟性→屈曲点８が無しで、毛の柔軟性→傾きが０．４３で、毛先の長さＬ１が２５ｍｍ、ブラシの口径Ｌ２が１７ｍｍ、ブラシの毛束の広がり角度αが−３度（内側に３度）、毛先面部５の状態は平坦状、毛先の状態→水平である。
○比較例３ブラシは、毛の柔軟性→屈曲点８が無しで、毛の柔軟性→傾きが０．１で、毛先の長さＬ１が２７ｍｍ、ブラシの口径Ｌ２が２０ｍｍ、ブラシの毛束の広がり角度αが８度、毛先面部５の状態は平坦状、毛先の状態→水平である。
【００３０】
【表３】
2011087675.tif 000005
【００３１】
［ブラシの口径について］
本発明ブラシの実施例１乃至実施例５ブラシ、及び比較例１乃至比較例５ブラシとの使用感等に関する結果を、下記の表４に示す。
○実施例１ブラシは、毛の柔軟性→屈曲点８が無しで、毛の柔軟性→傾きが０．２４で、毛先の長さＬＩが１２−１８ｍｍ、ブラシの口径Ｌ２が２０ｍｍ、ブラシの毛束の広がり角度αが２度、毛先面部５の状態は平坦状、毛先の状態→斜めである。
○実施例２ブラシは、毛の柔軟性→屈曲点８が無しで、毛の柔軟性→傾きが０で、毛先の長さＬ１が１７ｍｍ、ブラシの口径Ｌ２が１６ｍｍ、ブラシの毛束の広がり角度αが０度、毛先面部５の状態は平坦状、毛先の状態→水平である。
○実施例３ブラシは、毛の柔軟性→屈曲点８が無しで、毛の柔軟性→傾きが０で、毛先の長さＬ１が１２−１８ｍｍ、ブラシの口径Ｌ２が１７ｍｍ、ブラシの毛束の広がり角度αが−２度（内側に２度）、毛先面部５の状態は平坦状、毛先の状態→斜めである。
○実施例４ブラシは、毛の柔軟性→屈曲点８が無しで、毛の柔軟性→傾きが０．１８で、毛先の長さＬ１が１０ｍｍ、ブラシの口径Ｌ２が３０ｍｍ、ブラシの毛束の広がり角度αが４度、毛先面部５の状態は平坦状、毛先の状態→水平である。
○実施例５ブラシは、毛の柔軟性→屈曲点８が無しで、毛の柔軟性→傾きが０．３２で、毛先の長さＬ１が１２−１８ｍｍ、ブラシの口径Ｌ２が４４ｍｍ、ブラシの毛束の広がり角度αが２度、毛先面部５の状態は平坦状、毛先の状態→斜めである。
○比較例１ブラシは、毛の柔軟性→屈曲点８が無しで、毛の柔軟性→傾きが０で、毛先の長さＬ１が１８ｍｍ、ブラシの口径Ｌ２が４ｍｍ、ブラシの毛束の広がり角度αが０度、毛先面部５の状態は平坦状、毛先の状態→水平である。
○比較例２ブラシは、毛の柔軟性→屈曲点８が無しで、毛の柔軟性→傾きが０で、毛先の長さＬ１が２２ｍｍ、ブラシの口径Ｌ２が１３ｍｍ、ブラシの毛束の広がり角度αが３度、毛先面部５の状態は平坦状、毛先の状態→水平である。
○比較例３ブラシは、毛の柔軟性→屈曲点８が無しで、毛の柔軟性→傾きが０．５２で、毛先の長さＬ１が１４ｍｍ、ブラシの口径Ｌ２が４５ｍｍ、ブラシの毛束の広がり角度αが７度、毛先面部５の状態は平坦状、毛先の状態→水平である。
○比較例４ブラシは、毛の柔軟性→屈曲点８が無しで、毛の柔軟性→傾きが０．３６で、毛先の長さＬ１が１８ｍｍ、ブラシの口径Ｌ２が４６ｍｍ、ブラシの毛束の広がり角度αが３度、毛先面部５の状態は平坦状、毛先の状態→水平である。
○比較例５ブラシは、毛の柔軟性→屈曲点８が無しで、毛の柔軟性→傾きが０．１で、毛先の長さＬ１が２１ｍｍ、ブラシの口径Ｌ２が４８ｍｍ、ブラシの毛束の広がり角度αが１度、毛先面部５の状態は平坦状、毛先の状態→水平である。
【００３２】
【表４】
2011087675.tif 000006
【００３３】
［ブラシの毛束の広がり角度について］
本発明ブラシの実施例１乃至実施例４ブラシ、及び比較例１乃至比較例３ブラシとの使用感等に関する結果を、下記の表５に示す。
○実施例１ブラシは、毛の柔軟性→屈曲点８が無しで、毛の柔軟性→傾きが０で、毛先の長さＬ１が１９ｍｍ、ブラシの口径Ｌ２が１９ｍｍ、ブラシの毛束の広がり角度αが−２度（内側に２度）、毛先面部５の状態は平坦状、毛先の状態→水平である。
○実施例２ブラシは、毛の柔軟性→屈曲点８が無しで、毛の柔軟性→傾きが０で、毛先の長さＬ１が１３−１４ｍｍ、ブラシの口径Ｌ２が２０ｍｍ、ブラシの毛束の広がり角度αが０度、毛先面部５の状態は平坦状、毛先の状態→斜めである。
○実施例３ブラシは、毛の柔軟性→屈曲点８が無しで、毛の柔軟性→傾きが０．４１で、毛先の長さＬ１が１６−２０ｍｍ、ブラシの口径Ｌ２が１８ｍｍ、ブラシの毛束の広がり角度αが１度、毛先面部５の状態は平坦状、毛先の状態→斜めである。
○実施例４ブラシは、毛の柔軟性→屈曲点８が無しで、毛の柔軟性→傾きが０．５３で、毛先の長さＬ１が１６ｍｍ、ブラシの口径Ｌ２が１６ｍｍ、ブラシの毛束の広がり角度αが５度、毛先面部５の状態は平坦状、毛先の状態→水平である。
○比較例１ブラシは、毛の柔軟性→屈曲点８が無しで、毛の柔軟性→傾きが０で、毛先の長さＬ１が１４ｍｍ、ブラシの口径Ｌ２が１７ｍｍ、ブラシの毛束の広がり角度αが３０度、毛先面部５の状態は平坦状、毛先の状態→水平である。
○比較例２ブラシは、毛の柔軟性→屈曲点８が無しで、毛の柔軟性→傾きが０．３６で、毛先の長さＬ１が１８ｍｍ、ブラシの口径Ｌ２が２２ｍｍ、ブラシの毛束の広がり角度αが３３度、毛先面部５の状態は平坦状、毛先の状態→水平である。
○比較例３ブラシは、毛の柔軟性→屈曲点８が無しで、毛の柔軟性→傾きが０．２７で、毛先の長さＬ１が１７ｍｍ、ブラシの口径Ｌ２が１６ｍｍ、ブラシの毛束の広がり角度αが４０度、毛先面部５の状態は平坦状、毛先の状態→水平である。
【００３４】
【表５】
2011087675.tif 000007
【００３５】
［毛先の形状について］
本発明ブラシの実施例１乃至実施例３ブラシ、及び比較例１乃至比較例４ブラシとの使用感等に関する結果を、下記の表６に示す。
○実施例１ブラシは、毛の柔軟性→屈曲点８が無しで、毛の柔軟性→傾きが０．３で、毛先の長さＬＩが２０ｍｍ、ブラシの口径Ｌ２が１７ｍｍ、ブラシの毛束の広がり角度αが−１度（内側に１度）、毛先面部５の状態は平坦、毛先の状態→水平である。
○実施例２ブラシは、毛の柔軟性→屈曲点８が無しで、毛の柔軟性→傾きが０．２９で、毛先の長さＬ１が２０ｍｍ、ブラシの口径Ｌ２が３４ｍｍ、ブラシの毛束の広がり角度αが２度、毛先面部５の状態は平坦、毛先の状態→水平である。
○実施例３ブラシは、毛の柔軟性→屈曲点８が無しで、毛の柔軟性→傾きが０．４２で、毛先の長さＬ１が１８ｍｍ、ブラシの口径Ｌ２が２１ｍｍ、ブラシの毛束の広がり角度αが３度、毛先面部５の状態は平坦、毛先の状態→水平である。
○比較例１ブラシは、毛の柔軟性→屈曲点８が無しで、毛の柔軟性→傾きが０．６１で、毛先の長さＬ１が１５ｍｍ、ブラシの口径Ｌ２が２０ｍｍ、ブラシの毛束の広がり角度αが３度、毛先面部５の状態はわずかにかまぼこ状、毛先の状態→水平である。
○比較例２ブラシは、毛の柔軟性→屈曲点８が無しで、毛の柔軟性→傾きが０．３２で、毛先の長さＬ１が２０ｍｍ、ブラシの口径Ｌ２が２４ｍｍ、ブラシの毛束の広がり角度αが−１度（内側に１度）、毛先面部５の状態はわずかにかまぼこ状、毛先の状態→水平である。
○比較例３ブラシは、毛の柔軟性→屈曲点８が無しで、毛の柔軟性→傾きが０．３３で、毛先の長さＬ１が１９ｍｍ、ブラシの口径Ｌ２が１８ｍｍ、ブラシの毛束の広がり角度αが２度、毛先面部５の状態はややかまぼこ状、毛先の状態→水平である。
○比較例４ブラシは、毛の柔軟性→屈曲点８が有りで、毛の柔軟性→傾きが０．３３で、毛先の長さＬ１が１９ｍｍ、ブラシの口径Ｌ２が１８ｍｍ、ブラシの毛束の広がり角度αが３度、毛先面部５の状態はかまぼこ状、毛先の状態→水平である。
【００３６】
【表６】
2011087675.tif 000008
【００３７】
さらに本発明の化粧方法は、上記で説明した化粧ブラシを使用して、毛先の毛先面部５の平坦状部を肌に垂直状にあたるように、トントンと複数回叩くように、もしくは叩きながら滑らせるようにして使用するものであり、この化粧方法を採用すると一般人であってもメーキャップアーティストが仕上げたようなきれいな化粧が行えることとなる。
【００３８】
図７乃至図１０はＣＣＤカメラ式顕微鏡による肌部の拡大写真（偏光モード５０倍）であり、図７は本発明にかかる化粧ブラシを使用して化粧を行った小鼻（毛穴の多い場所）の写真であり、図８は従来の化粧スポンジを使用して化粧を行った小鼻の写真であり、図９は本発明にかかる化粧ブラシを使用して化粧を行ったほほの外側の写真であり、図１０は従来の化粧ブラシを使用して化粧を行ったほほの外側の写真である。
これらの写真を観察すると、図７及び図９の写真は、それぞれ比較すべき図８及び図１０の写真よりも仕上がりの均一さが認められ、肌のきめがきれいでしみやそばかすなどが完全に隠された状態となっていることが良く理解できる。
【産業上の利用可能性】
【００３９】
本発明によれば、化粧ブラシを取り扱う分野で利用可能である。
【符号の説明】
【００４０】
１  化粧ブラシ
２  柄
３  口金
４  毛先
５  毛先の毛先面部
６  毛の延伸方向軸
７  毛束の最外側の広がり延伸方向軸
８  屈曲点
Ｌ１  毛先の長さ
Ｌ２  ブラシの口径
α  毛の延伸方向軸と毛束の最外側の広がり延伸方向軸が交差して形成されるブラシの毛束の広がり角度
【図１】
2011087675.tif 000009
【図２】
2011087675.tif 000010
【図３】
2011087675.tif 000011
【図４】
2011087675.tif 000012
【図５】
2011087675.tif 000013
【図６】
2011087675.tif 000014
【図７】
2011087675.tif 000015
【図８】
2011087675.tif 000016
【図９】
2011087675.tif 000017
【図１０】
2011087675.tif 000018